(57)【要約】      （修正有）【課題】時及び／又は分を指示するための別の独自の表示デバイスを提供する。【解決手段】動力取り出し装置から駆動される情報表示機構を備えた時計ムーブメントを有する時計であって、表示機構は、ムーブメントの周上に等間隔に分布する情報のためのＮ個の表示部材を有する時計において、このＮ個の表示部材はそれぞれ、駆動アーバ上で垂直方向に枢動し、ムーブメントの中心に対して異なる第１及び第２の径方向位置をとることができ、表示部材は、共通の第１の環状ジャンピング駆動手段によって経時的に連続して駆動し、これによって各表示部材は第１の位置から第２の位置へと連続的に移動して、全ての表示部材がその第２の位置を取るサイクルの終了時点まで第２の位置に保持されること、並びに後続のサイクルの開始時において全ての表示部材が再びその第１の位置に位置決めされるように、第２の環状駆動手段が配設される。【選択図】図１
2014215299.tif 000002
【特許請求の範囲】
【請求項１】
動力取り出し装置から駆動される情報を表示する表示機構を備えた時計ムーブメントを含む時計であって、
前記表示機構は、ムーブメントの周上に等間隔に分布する前記情報のためのＮ個の表示部材を有する時計において、
前記Ｎ個の表示部材は、それぞれ駆動アーバ上で垂直方向に枢動し、前記ムーブメントの中心に対して異なる第１及び第２の径方向位置をとることができ、前記表示部材は、共通の第１の環状ジャンピング駆動手段によって経時的に連続して駆動し、これによって各前記表示部材は第１の位置から第２の位置へと連続的に移動して、全ての前記表示部材が前記第２の位置をとるサイクルの終了時点まで前記第２の位置に保持されること、並びに
後続のサイクルの開始時において全ての前記表示部材が再び前記第１の位置に位置決めされるように、第２の環状駆動手段が設けられていることを特徴とする、時計。
【請求項２】
前記表示部材は針の形態であり、前記表示部材の前記２つの径方向位置は、前記駆動アーバに関して互いに４０°離間していることを特徴とする、請求項１に記載の時計。
【請求項３】
前記表示部材の前記連続的な駆動は、前記第１の環状駆動手段に固定されたピンを用いて達成され、
前記ピンは、前記表示部材と一体であるカムを押圧するよう設けられ、
前記カムはジャンパばねと連携して、前記第１及び第２の位置を安定した構造で画定する
ことを特徴とする、請求項１又は２に記載の時計。
【請求項４】
前記表示部材は、時刻情報を表示することを特徴とする、請求項１〜３のいずれか１項に記載の時計。
【請求項５】
それぞれ異なる分を定義する５９個の表示部材を含むことを特徴とする、請求項１〜４のいずれか１項に記載の時計。
【発明の詳細な説明】
【技術分野】
【０００１】
本発明は時計学の分野に関し、より具体的には、機械式又は電気機械式時計のための時刻表示デバイス及びこのデバイスを作製するための機構に関する。
【背景技術】
【０００２】
機械式時計学において、時刻は一般に、目盛りに対して移動する時針及び分針を用いて表示される。
【０００３】
従来のアナログ式表示とは異なる独自の特徴を有する、特に時刻のための表示デバイスを含む最新の腕時計が存在し、これらは大抵ムーブメントの中央に同軸の時針及び分針を含む。
【０００４】
例えば、異なる表示面を提供する回転可能に設置されたスタッドを備えた機械式時計が知られている。例えば、特許文献１は、表示針の運動をシミュレートする実施形態を提案する。これを達成するために、スタッドは、時計の表示インジケータにおける通常の様式通りに設けられている。表示するべきある情報に対応するスタッドは特定の表面を有し、その一方で他の複数のスタッドは均一の表面を有する。例えば、上記情報を表すスタッドは特定の色の面を有し、その一方で他の複数のスタッドは異なる色を有する。次の１時間への変化時において、前の１時間の間作動していた上記特定のスタッドを、他の複数のスタッドと同色となるように作動させる。またこれと同時に、次の１時間作動するスタッドを、特定の色となるように作動させる。従ってこの実施形態では、スタッドを１期間に少なくとも２回作動させ、得られる結果は針の運動によるものと同一である。
【先行技術文献】
【特許文献】
【０００５】
【特許文献１】国際公開特許第２００８１４４９４８号
【発明の概要】
【発明が解決しようとする課題】
【０００６】
本発明の目的は、特に時及び／又は分を指示するための別の独自の表示デバイスを提案することである。
【課題を解決するための手段】
【０００７】
従って本発明は、動力取り出し装置から駆動される情報表示機構を備える時計ムーブメントを含む時計であって、上記情報を表示する表示機構は、ムーブメントの周上に等間隔に分布する上記情報のためのＮ個の表示部材を有する時計において、このＮ個の表示部材は、それぞれ駆動アーバ上で垂直方向に枢動し、ムーブメントの中心に対して異なる第１及び第２の径方向位置をとることができ、表示部材は、共通の第１の環状ジャンピング駆動手段によって経時的に連続して駆動され、これによって各表示部材は第１の位置から第２の位置へと連続的に移動して、全ての表示部材がその第２の位置をとるサイクルの終了時点まで上記第２の位置に保持されること、並びに後続のサイクルの開始時において全ての表示部材が再びその第１の位置に位置決めされるように、第２の環状駆動手段が設けられていることを特徴とする、時計に関する。
【０００８】
ある実施形態によると、表示部材は針の形態であり、表示部材の２つの径方向位置は、駆動軸に関して互いに４０°離間しており、表示部材の連続的な駆動は、第１の環状駆動手段に固定されたピンを用いて達成され、このピンは、表示部材と一体であるカムを押圧するように設けられ、上記カムはジャンパばねと連携して第１及び第２の位置を安定した様式で画定する。好ましくは、表示部材は時刻情報を表示し、時計は、それぞれ異なる分を定義する５９個の表示部材を含む。
【０００９】
本発明の特徴は、添付の図面を参照して、単なる非限定的な例として挙げられた好ましい実施形態に関する以下の説明を読むことにより、より明らかになるであろう。
【図面の簡単な説明】
【００１０】
【図１】図１は、本発明による時計を正面上方から見た斜視図である。
【図２】図２は、本発明による時計の正面図である。
【図３】図３は、本発明による時計ムーブメントの香箱巻上げ機構の詳細を示す斜視図である。
【図４Ａ】図４Ａは、本発明による時計の分表示部材を駆動するためのデバイスを裏蓋側から見た部分図である。
【図４Ｂ】図４Ｂは、本発明による時計の分表示部材のための駆動デバイスを文字盤側から見た斜視図である。
【図４Ｃ】図４Ｃは、本発明による時計の分表示部材のための駆動デバイスを文字盤側から見た詳細図である。
【図５】図５は、本発明による時計ムーブメントを裏蓋側から見た断面斜視図である。
【図６】図６は、本発明の時計の分表示部材のための駆動機構を裏蓋側から見た斜視図である。
【図６Ａ】図６Ａは、本発明の時計の分表示部材のための駆動機構を裏蓋側から見た詳細な斜視図である。
【図７Ａ】図７Ａは、本発明の時計の分表示部材を再位置決めするための機構を裏蓋側から見た斜視図である。
【図７Ｂ】図７Ｂは、本発明の時計の分表示部材を再位置決めするための機構を裏蓋側から見た斜視図である。
【図８】図８は、本発明の時計の時表示部材のための駆動機構を裏蓋側から見た斜視図である。
【図８Ａ】図８Ａは、本発明の時計の時表示部材のための駆動機構を裏蓋側から見た詳細な斜視図である。
【図８Ｂ】図８Ｂは、本発明の時計の時表示部材のための駆動機構を文字盤側から見た斜視図である。
【図９】図９は、本発明の時計の１２時用の表示機構を文字盤側から見た断面斜視図である。
【図１０】図１０は、本発明の時計の時表示部材を補正するための機構を文字盤側から見た斜視図である。
【図１０Ａ】図１０Ａは、本発明の時計の時表示部材を補正するための機構を裏蓋側から見た詳細な斜視図である。
【図１０Ｂ】図１０Ｂは、本発明の時計の分表示部材を補正するための機構を裏蓋側から見た斜視図である。
【図１１】図１１は、本発明の時計の時計ムーブメントの地板及び様々なバーを裏蓋側から見た展開斜視図である。
【図１２】図１２は、本発明の時計の時計ムーブメントを文字盤側から見た正面図である（文字盤は省略されている）。
【図１３】図１３は、本発明の時計の時計ムーブメントを裏蓋側から見た正面図である。
【発明を実施するための形態】
【００１１】
図１、２を参照すると、従来の様式で中央部分及び裏蓋で形成されるケース２で形成されている時針円を備える腕時計１が示されており、これは文字盤３、本発明による時刻表示デバイス４、ムーブメントＭＶＴ、風防ガラス５及びクラウン７を含む。
【００１２】
時刻表示デバイス４は１１個の時針８を含み、これらは１２時用の針を除いて、時針円と反対向きになるように１８０°回転する。１１個の時針は三角形であり、文字盤平面上に延在する。これらは文字盤３に対して垂直に延在する駆動アーバ上で枢動する。三角形の頂点の径方向外向きの配向によって時刻が指示される。所定の瞬間において、１１個の針のうち１つの針８のみがこのような位置をとることができる。
【００１３】
１２時用の針のアーバはディスクを支持し、このディスク上には接続用ロッドがヒンジ留めされており、この接続用ロッドの他端は、固定ガイド構造内で並進摺動するハッチに接続されている。このハッチは円形開口部である。ディスクは針と同様に、針駆動システムが決定する２つの固定位置をとることができる。ハッチデバイスは正午及び午前０時に１時間だけ駆動され、ハッチ開口部内の印、例えばロゴを見えるようにする。
【００１４】
分表示は、文字盤３に対して垂直な軸上に設置された５９個の分針１０を用いて達成される。これらの分針１０は４０°にわたって回転する。これらの分針１０の２つの端位置は、腕時計のユーザが視認可能な表示位置及び分針１０が文字盤３に隠れる収容位置に対応する。最後の１分は、５９個の分針１０を同時にリセットすることによって指示される。分の読みとりは、所定の径方向位置に配向されている分針１０の個数に対応する。
【００１５】
時及び分の表示は、２つのジャンピングデバイスを用いて駆動され、分表示は逆行駆動システムを備える。
【００１６】
文字盤３は部分的に透明であり、周縁環状領域３Ａ及び中央領域３Ｂを含み、これらは不透明であり、これらの間に透明環状領域３Ｃの範囲を定めている。図示した例では、不透明な中央領域３Ｂは浮き彫り状になっており、ファセットカットされたクラウンのような形状をとっている。文字盤３は中央開口部３Ｄを有し、ここで透明部分がハッチと協働して、ムーブメントの上部を見えるようにする。正午及び午前０時に、ハッチ開口部は文字盤開口部と重なり、ロゴが見えるようになる。好ましくは、文字盤は反射防止コーティングで処理されている。視認可能な表示位置において、分針１０は文字盤３の透明環状領域３Ｃに現れる。
【００１７】
図面を参照して、ムーブメントの地板Ｐが支持するこれらの様々な表示デバイスの運動及び駆動機構について説明する。
【００１８】
特に図３は、ムーブメントが、地板Ｐと香箱バー２０７（図１１）との間に設置された２つの香箱１００、１０１を含むことを示している。第１の香箱１００は、歯車列及び地板Ｐとテンプ受け２０８（図１１）との間に従来の構造で設けられた調節部材（調速機）を従来の構成で駆動するためのものである。第２の香箱１０１は、表示デバイスを駆動するために使用される。２つの香箱１００、１０１は、巻き上げステム１０２によって、腕時計装用時のステム１０２の通常の位置において独立して巻き上げられる。第２の香箱１０１は時計回りの巻き上げ方向で巻き上げられ、第１の香箱１００は反時計回りの巻き上げ方向で巻き上げられる。これを達成するために、巻き上げステム１０２は、香箱１００、１０１の角穴車１００Ａ、１０１Ａの一方又は他方とステム１０２の回転方向において噛み合うピニオン１０４を含む摺動中間ホイール１０３と関連する。第１の香箱１００の巻き上げは、方向反転ピニオン１０５を介して達成される。
【００１９】
図４Ａは第２の香箱１０１を示し、この香箱１０１は、２つのホイールセット１０６、１０７及びピニオン１０８を含む歯車列を介して、内側歯１０９Ａとの噛み合いによって分制御リング１０９を１時間に１回転の速度で矢印Ｆ１の方向に駆動する。制御リング１０９はその外側周縁に、径方向に延在する駆動フィンガ１１０を有する。制御リング１０９は、分用バー１１１と地板との間で、好ましくはルビー製のガイドローラ１１２によって、中間バー（そのうちの１つ２０２を図５に示す）を介して回転可能にガイドされる。この制御リング１０９は、分用リング２０４のバーによって持ち上げられる（図１１）。駆動フィンガ１１０は、分用インジケータを支持してこれを連続的に４０°だけ回転駆動するアーバ１１４に接続されたカム１１３と接するように設けられた接触ピン１１０Ａを有する。
【００２０】
これらのアーバ１１４は地板Ｐを横断し、地板Ｐの両側に設けられた分用バー１１１のオリフィス２００及び表示バー２０３のオリフィス２０１にそれぞれ圧入された１組のルビー製軸受において枢動する。
【００２１】
上から見ると、カム１１３は概ね、２つの成形された表面１１３Ｃ、１１３Ｄによって接続された２つの嘴部１１３Ａ、１１３Ｂを含むバイコーン（ｂｉｃｏｒｎ）の形状を有する。接触ピン１１０Ａはその回転中に嘴部１１３Ａと接触して、アーバ１１４を４０°だけ回転させる。回転幅は、５９個の歯を有する外側溝付歯部の径方向フランクによって画定される複数の停止部材を含む当接リング１１５のフランク１１５Ａに対して当接する嘴部１１３Ｂ（図４Ｂ、４Ｃ）によって設定され、これらの歯のうちの１つ１１５Ｂは、２つの連続する歯に対応する角度セクタにわたって延在する。この当接リング１１５は、制御リング１０９に対して同心に、かつ制御リング１０９よりも下側の平面に設けられている。この当接リング１１５は、以下に説明するロック機能に加えて追加の機能を有する。カム１１３は、ジャンパばね１１６が支持する複数のばね１１６Ａによって、分針の位置に対応する様々な所定の位置に（視認可能な状態又は隠れた状態で）保持され、これらのばね１１６Ａは、ジャンパばね１１６の内周からある角度で延在する。これらのばねは５９個存在し、それぞれが、カム１１３及び分針アーバ１１４を備えたアセンブリに関連する。
【００２２】
調節デバイスを用いて分制御リング１０９を回転させるが、この調節デバイスによって、図６を参照して後に説明するような、制御リング１０９の６°のジャンプによる段階的な前進運動が可能となる。調節デバイスは、歯車列及び調節部材に接続された第１の香箱１００によって駆動され、第１の香箱１００のドラム１００Ａは、筒かな（図示せず）と一体であるピニオン１１７と、歯部１００Ｂを介して噛み合い、このピニオン１１７は、６０分に１回転する６０ホイール１１８を支持する。６０ホイール１１８は、制御リング１０９の回転を停止／再開させるために、レバーアセンブリ１２１のための制御アセンブリ１２０と、中間ホイール１１９を介して噛み合う。レバーアセンブリ１２１は、概ね縦長形状のレバー本体で形成されている。レバーアセンブリ１２１は、地板Ｐとバー（図示せず）との間で枢動する。レバーアセンブリ１２１の本体はその各端部に、歯部１０９Ａの上側に配設された２つの重ね合わされた内側歯部１０９Ｂ、１０９Ｃとそれぞれ協働する持ち上げ部材１２１Ｂを有する。レバーアセンブリ１２１は更に、その端部部分の、持ち上げ部材１２１Ｂのうちの１つに近接した部分に、環状宝石１２３を支持するアーバ１２２を有する（図６Ａ）。環状宝石１２３は、中間ホイール１１９によって駆動されるホイール１２４のカム経路１２４Ａと、ホイール１２４と同軸のピニオン１２５を介して協働する。図示した例では、ホイール１２４は、カム経路１２４Ａを構成する成形された環状空洞１２６を有する。カム経路１２４Ａの形状は、レバーアセンブリ１２１に振動運動を与えて持ち上げ部材１２１Ｂと、制御リング１０９の歯部１０９Ｂ、１０９Ｃとの間の接触を介して、制御リング１０９の回転運動を交互に停止及び再開させるように構成されている。
【００２３】
５９分が経過し、５９個の分針１０が制御リング１０９を介してそれぞれの表示位置を通過すると、これら分針１０は全てその静止位置に再位置決めされ、この位置において分針１０はユーザから隠れ、その後新たな時間サイクルが開始される。これを達成するために、本発明のムーブメントは、図７Ａ、７Ｂに図示した分針１０を再位置決めするための機構１２７を有する。この再位置決め機構１２７は、当接リング１１５を介して全てのカム１１３に同時に作用する。再位置決め機構１２７は、２つのバー（図示せず）の間のＡにおいて枢動する制御及び復帰レバー１２８を含む。レバー１２８はその第１の端部に、フォークのような２つのアーム１２８Ａ、１２８Ｂを有し、対向する第２の端部に、Ｕ字型に屈曲した復帰ばね１２８Ｃを有し、この復帰ばね１２８Ｃはレバー１２８の本体と単一の部品で形成されている。アーム１２８Ａの端部は、当接リング１１５の内周に設けられた対応するノッチ１１５Ｃと係合し、その一方でアーム１２８Ｂの端部は、当接リング１１５と駆動リング１０９との間に延在する。駆動リング１０９は、アーム１２８Ｂの端部と１時間に１回接触することによってレバー１２８を矢印Ｆ（図７Ａ）の方向に回転駆動するよう位置決めされたピン１２９を支持し、このレバー１２８は、アーム１２８Ａの端部を介して当接リング１１５を駆動する。当接リング１１５の回転は、フランク１１５Ａを介して全ての嘴部１１３Ｂを回転駆動し、またこれらを同時に静止位置へと軽く打ち出し、この位置において、嘴部１１３Ｂと関連する針はユーザから隠れる。より具体的には、図７Ａに、全ての針がユーザから隠れる位置に戻った後の再位置決め機構１２７を示す。ピン１２９はアーム１２８Ｂを解放したばかりであり、レバー１２８は、ばね１２８Ｃを用いてその静止位置に戻されている。図７Ｂでは、その１時間が終了した３分後の状態の機構１２７を示す。ピン１１０Ａは初めの３つのカム１１３1、１１３2、１１３3を軽く打ち出して対応する針をその表示位置へと移動させる。
【００２４】
図８、８Ａ、８Ｂを参照して、時刻インジケータ部材の駆動について説明する。香箱１０１はピニオン１３０を駆動し、ピニオン１３０のアーバ上には蝸牛型カム１３１が設けられ、この蝸牛型カム１３１上において、Ｂにおいて枢動する駆動レバー１３２の第１のアーム１３２Ａの嘴部が摺動する。この駆動レバー１３２は、レバーバー２０５（図１１）及び表示バー２０６（図５）にそれぞれ圧入された１組のルビー製軸受において枢動する。駆動レバー１３２は、第１のアーム１３２Ａとある角度（図示した例では約９０°）を形成する第２のアーム１３２Ｂを有する。この第２のアーム１３２Ｂは、ピボットピンＢ上にセンタリングされた歯付き円形セクタ１３２Ｃを有する。第２のアーム１３２Ｂの径方向端部は、ばね１３４と協働する宝石１３３Ａを備える停止部材１３３を支持し、このばね１３４は、駆動レバー１３２を矢印Ｃ（図８）の方向に戻して、アーム１３２Ａの嘴部とカム１３１との間の恒常的な接触を維持する。ばね１３４はその一端を介してムーブメントのバーに固定されている。駆動レバー１３２は、また第２のアーム１３２Ｂの径方向延長に実質的に延在する停止部材１３２Ｄを有する。歯付きセクタ１３２Ｃは、アーバ１３６に固定されたピニオン１３５と噛み合い、このアーバ１３６は、ローラ１３７、カム１３８及び時制御リング１４０のための第２の駆動ピニオン１３９を互いに固定された状態で備えるアセンブリ内において自由に回転するように設けられている。ローラ１３７はまた、ばね１４２によってカム１３８と接触した状態で保持される枢動可能に設けられた嘴部１４１を備えている。この制御デバイスによって、時制御リング１４０を、カム１３１の連続的な回転からジャンプさせて前方へと移動させることができる。時制御リング１４０はその外周上に２つの歯付きセクタ１４０Ａ、１４０Ｂを有し、これらは３０°だけ角度的に離間し、図示した例ではそれぞれ２つの歯を有する。これら歯付きセクタは、時制御リング１４０の周に等間隔に分布する６つの歯を有する２つの星形車１４３と噛み合う。各星形車１４３は時針８を支持するアーバ１４３Ａに固定され、ここでアーバ１４３Ｂは除外される（アーバ１４３Ｂはアーバ１４３Ａより短く、１２時の位置に配設され、その表示機能については以下に説明する）。アーバ１４３Ａ及びアーバ１４３Ｂは、地板Ｐ及び時用リングバー２１０にそれぞれ圧入されたルビー製軸受の組の間で枢動する。
【００２５】
図８Ｂはまた、駆動リング１４０がその一方の面において、駆動リング１４０と同心である非復帰リング１４４に固定されていることを示し、この非復帰リング１４４の機能は、地板Ｐに固定されたロック用ジャンパばね１４５を介して、駆動リング１４０の前方への各ジャンプの後に、駆動リング１４０の矢印Ｓ４の方向への回転をロックすることである。ジャンパばね１４５は、非復帰リング１４４と協働する第１のロック用アーム１４５Ａ及び図１０を参照して以下にその機能を説明する第２のアーム１４５Ｂを有する。非復帰リング１４４はその内周に、各歯が鋸歯の形状を有する１２個の歯付きセクタ１４４Ａ及びジャンパばね１４５の嘴部と係合して協働するフランク１４４Ｂを有する。
【００２６】
言うまでもないことであるが、変形実施形態において、各歯付きセクタ１４０Ａ、１４０Ｂの歯の数は２個でなくてもよく、また星形車１４３の歯の数は、星形車１４３に固定されるインジケータの所望の回転角度に応じて６個でなくてもよい。同様に、別の変形例では、制御リング１４０上に歯付きセクタ１４０Ａを１つだけ設けることができる。しかしながらこのような場合、上述のタイプの星形車に固定された表示部材を再位置決めするための機構を設けなければならない。
【００２７】
香箱１０１が駆動する蝸牛型カム１３１が矢印Ｓ１の方向に連続的に回転する際、アーム１３２Ａは蝸牛型カム１３１の外形に沿って摺動し、これによって駆動レバー１３２をそのピンＢの周りでばね１３４の復帰力に対抗して矢印Ｓ２の方向に、アーム１３２Ａの嘴部が蝸牛型カム１３１の最大直径に到達するまで枢動させ、その瞬間、アーム１３２Ａは蝸牛型カム１３１の径方向フランクに沿って落下して、蝸牛型カム１３１の最小直径部と接触する。同時に駆動レバー１３２は矢印Ｃの方向に戻り、ピニオン１３５を介してアーバ１２６を駆動する。２つのフランク１３８Ａ、１３８Ｂ（図８Ａ）のうちの一方が、ローラ１３７、カム１３８及びピニオン１３９を備えるアセンブリと、嘴部１４１を介して接触する際、このアセンブリは回転駆動され、ピニオン１３９は時制御リング１４０を矢印Ｓ３の方向に駆動し、これによって２つの歯付きセクタ１４０Ａ、１４０Ｂは２つの連続した星形車１４３を駆動する。
【００２８】
１２時の表示について、図９を参照してより具体的に説明する。１２時用のアーバ１４３Ｂはディスク１４６を支持し、ディスク１４６上には接続ロッド１４７がヒンジ留めされ、この接続ロッド１４７の他端は、好ましくは直線ボール軸受が設けられた固定ガイド構造１４９内で並進摺動するハッチ１４８に接続される。このガイド構造１４９は、時用リングバー２１０に固定された最上部の時用バー２０９（図１１）上に設置される。ハッチ１４８は円形開口部１４８Ａを有する。ディスク１４６及び針８は、駆動リング１４０が決定する２つの固定位置をとることができる。第１の位置では、ハッチ１４８の開口部は文字盤３の対応する開口部３Ｄと隣接し、ムーブメントが備える印Ｍを見えるようにする。第２の位置では、ハッチ１４８は開口部３Ｄを閉鎖する。このハッチデバイス１４８は、正午及び午前０時に１時間だけ駆動し、ハッチ１４８の開口部内の印、例えばロゴを見えるようにし、ハッチ１４８の開口部は１２時の印を表示する。
【００２９】
時及び分の補正デバイス１５０について、図１０、１０Ａ、１０Ｂを参照して説明する。巻き上げステム１０２は、腕時計装用時の通常の位置に加えて、時及び分の補正を行うことができる引き出し位置をとることができる。
【００３０】
巻き上げステム１０２を、ステムの引き出し位置において時計回り方向（矢印ＳＨ）に回転させることによって時を補正する。巻き上げステム１０２を引き出すと、この巻き上げステム１０２はレバー１５１を起動して、摺動ピニオン１５２をホイール１５３Ａ及びピニオン１５３Ｂを含むホイールセット１５３と噛み合うよう位置決めされる。続いてピニオン１５３Ｂは、文字盤側から見て反時計回り方向に回転する。ピニオン１５３Ｂは、ホイール１５４、１５５、１５６を含む歯車列と噛み合う。この歯車列は地板Ｐ上に設けたピン上で枢動し、時用駆動バー２１１（図１１）によって持ち上げられる。ホイール１５６はその一方の面上に、この例ではそれぞれ３つの歯を有する３つの歯付セクタ１５７Ａを含むホイール１５７を支持している。ホイール１５７は、この例では地板Ｐの円形壁部１６０上で枢動する環状ホイール１５９の３つの歯を有する第１の歯付きセクタ１５８と一時的に噛み合う。ホイール１５９は、第１の歯付セクタ１５８から角度的に離間した位置に、地板Ｐと補正用バー２１２（図１１）との間で枢動する復帰ラック１６３と一体である歯付きセクタ１６２と恒常的に噛み合う第２の歯付きセクタ１６１を有する。復帰ラック１６３は、ピン１６４を支持するラグを有し、このピン１６４は、復帰ラック１６３の平面に対して垂直に延在し、復帰ばね１４５のアーム１４５Ｂと協働する。環状ホイール１５９は更に、ホイール１５９の外周面から径方向に延在するラグ１５９Ａを有する。歯付きセクタ１５８、１６２及びラグ１５９Ａは、約１２０°だけ離間している。ラグ１５９Ａは、ホイール１５９に対して接線方向に延在する嘴部１６５において終端している。起動用フィンガ１６６は、地板のバー（図示せず）に対して当接するばね１６７を介してリング１４４の内周に接触するよう保持される端部部分１６６Ａを有する。フィンガ１６６は更に当接ピン１６８を有し、この当接ピン１６８はラグ１５９Ａの嘴部１６５と協働して、ラグ１５９Ａに関するフィンガの角度的な移動距離を制限する（図１０Ａ参照）。
【００３１】
ステムが時計回り方向に回転する際、ホイール１５９は第１の段階において、歯車列１５３、１５４、１５５、１５６、１５７によって、ある角度的な距離にわたって反時計回り方向に一時的に回転する。この第１の段階の間、フィンガ１６６の端部部分１６６Ａは、（文字盤から見て）反時計回り方向に次の平面１４４Ｂと接触するよう配置される。この段階において、歯付きセクタ１５８は各種歯付きセクタ１５７Ａとの噛み合いが解除された状態となる。第２の段階では、ばね１４５Ｂの復帰力によって移動させられる復帰ラック１６３は、ホイール１５９を（文字盤側から見て）時計回り方向に回転駆動し、これによってリング１４４を、第１の段階においてフランク１４４Ｂと接触していたフィンガ１６６を介して時計回り方向に回転駆動できる。リング１４４の回転によって、歯付きセクタ１４０Ａ、１４０Ｂ及び星形車１４３を介して時表示を補正するように駆動する。
【００３２】
巻き上げステム１０２を、ステムの引き出し位置において反時計回り方向（矢印ＳＡＨ）に回転することによって分を補正する。続いてピニオン１５３Ｂは、文字盤側から見て時計回りに回転し、ピニオン１７１と一体であるホイール１７０を（文字盤側から見て）反時計回り方向に駆動する。ホイール１７０及びピニオン１７１を備えるアセンブリは、摺動ギア構造１７２によって支持されており、この摺動ギア構造１７２の回転の中心は、ピニオン１５３Ｂの軸と一致する。ステム１０２の反時計回り方向の回転の間、摺動ギア構造１７２は角度的に移動し、これによってピニオン１７１を、６０ホイール１１８と一体であるホイール１７３と噛み合わせ、ホイール１７３は分表示機構を駆動する（図１０Ｂ参照）。
【００３３】
図１１を参照すると、上述の機構のための支持体として作用する、地板Ｐ及びムーブメントＭＶＴの様々なバーが展開斜視図で示されている。
【００３４】
図１２、１３はそれぞれ、本発明の時計の時計ムーブメントの文字盤側からの正面図（文字盤は省略されている）及び裏蓋側からの正面図を示す。
【００３５】
本発明の変形実施形態では、針１０の数は５９でなくてよく、いずれのタイプの時刻又は他の情報／アニメーションを漸進的に表示してよく、例えば各針は文字若しくは時間と共に現れるメッセージの一部を備えることができ、又は時刻、月、曜日及び／若しくは日付を表示できる。
【符号の説明】
【００３６】
１  腕時計
２  ケース
３  文字盤
３Ａ  周縁環状領域
３Ｂ  中央領域
３Ｃ  透明環状領域
３Ｄ  中央開口部
４  時刻表示デバイス
５  風防ガラス
７  クラウン
８  時針
１０  分針
１００  第１の香箱
１００Ａ 第１の香箱の角穴車、第１の香箱のドラム
１００Ｂ 歯部
１０１  第２の香箱
１０１Ａ 第２の香箱の角穴車
１０２  巻き上げステム
１０３  摺動中間ホイール
１０４  ピニオン
１０５  方向反転ピニオン
１０６  ホイールセット
１０７  ホイールセット
１０８  ピニオン
１０９  分制御リング
１０９Ａ 内側歯
１０９Ｂ 内側歯部
１０９Ｃ 内側歯部
１１０  駆動フィンガ
１１０Ａ 接触ピン
１１１  分用バー
１１２  ガイドローラ
１１３  カム
１１３１ カム
１１３２ カム
１１３３ カム
１１３Ａ 嘴部
１１３Ｂ 嘴部
１１３Ｃ 表面
１１３Ｄ 表面
１１４  アーバ
１１５  当接リング
１１５Ａ フランク
１１５Ｂ 歯
１１５Ｃ ノッチ
１１６  ジャンパばね
１１６Ａ ばね
１１７  ピニオン
１１８  ６０ホイール
１１９  中間ホイール
１２０  制御アセンブリ
１２１  レバーアセンブリ
１２１Ｂ 持ち上げ部材
１２２  アーバ
１２３  環状宝石
１２４  ホイール
１２４Ａ カム経路
１２５  ピニオン
１２６  環状空洞
１２７  再位置決め機構
１２８  制御及び復帰レバー
１２８Ａ アーム
１２８Ｂ アーム
１２８Ｃ 復帰ばね
１２９  ピン
１３０  ピニオン
１３１  蝸牛型カム
１３２  駆動レバー
１３２Ａ 第１のアーム
１３２Ｂ 第２のアーム
１３２Ｃ 歯付き円形セクタ
１３２Ｄ 停止部材
１３３  停止部材
１３３Ａ 宝石
１３４  ばね
１３５  ピニオン
１３６  アーバ
１３７  ローラ
１３８  カム
１３８Ａ フランク
１３８Ｂ フランク
１３９  第２の駆動ピニオン
１４０  時制御リング
１４０Ａ 歯付きセクタ
１４０Ｂ 歯付きセクタ
１４１  嘴部
１４２  ばね
１４３  星形車
１４３Ａ アーバ
１４３Ｂ アーバ
１４４  非復帰リング
１４４Ａ 歯付きセクタ
１４４Ｂ フランク、平面
１４５  ロックジャンパばね
１４５Ａ 第１のロック用アーム
１４５Ｂ 第２のアーム
１４６  ディスク
１４７  接続ロッド
１４８  ハッチ
１４８Ａ 円形開口部
１４９  固定ガイド構造
１５０  時及び分の補正デバイス
１５１  レバー
１５２  摺動ピニオン
１５３  ホイールセット
１５３Ａ ホイール
１５３Ｂ ピニオン
１５４  ホイール
１５５  ホイール
１５６  ホイール
１５７  ホイール
１５７Ａ 歯付きセクタ
１５８  第１の歯付きセクタ
１５９  環状ホイール
１５９Ａ ラグ
１６０  円形壁部
１６１  第２の歯付きセクタ
１６２  歯付きセクタ
１６３  復帰ラック
１６４  ピン
１６５  嘴部
１６６  起動用フィンガ
１６６Ａ 端部部分
１６７  ばね
１６８  当接ピン
１７０  ホイール
１７１  ピニオン
１７２  摺動ギア構造 
１７３  ホイール
２００  分用バーのオリフィス
２０１  表示バーのオリフィス
２０２  中間バー
２０３  表示バー
２０４  分用リング
２０５  レバーバー
２０６  表示バー
２０７  香箱バー
２０８  テンプ受け
２０９  時用バー
２１０  時用リングバー
２１１  時用駆動バー
２１２  補正用バー
ＭＶＴ  ムーブメント
Ｐ  地板
Ｂ  ピボットピン
Ｍ  印
【図１】
2014215299.tif 000003
【図２】
2014215299.tif 000004
【図３】
2014215299.tif 000005
【図４Ａ】
2014215299.tif 000006
【図４Ｂ】
2014215299.tif 000007
【図４Ｃ】
2014215299.tif 000008
【図５】
2014215299.tif 000009
【図６】
2014215299.tif 000010
【図６Ａ】
2014215299.tif 000011
【図７Ａ】
2014215299.tif 000012
【図７Ｂ】
2014215299.tif 000013
【図８】
2014215299.tif 000014
【図８Ａ】
2014215299.tif 000015
【図８Ｂ】
2014215299.tif 000016
【図９】
2014215299.tif 000017
【図１０】
2014215299.tif 000018
【図１０Ａ】
2014215299.tif 000019
【図１０Ｂ】
2014215299.tif 000020
【図１１】
2014215299.tif 000021
【図１２】
2014215299.tif 000022
【図１３】
2014215299.tif 000023